(57)【要約】【課題】駐車スペースの効率的な利用を可能とし、公道等の渋滞緩和および利用者の待機時間の短縮を図るとともに、駐車場における犯罪抑止機能をも提供する。【解決手段】入退場時間と利用者の駐車スペースを指定する駐車スペース位置の情報とを管理する駐車場情報管理システム（６）と、入場時に、入場時間と駐車スペース位置の情報とをコンピュータ読み取り可能な利用券（７）に記録および印字を行う発券機（１）と、退場時に、利用券（７）から記録された入場時間および駐車スペース位置の情報を読み取り料金精算のための処理を行う精算機（２）とを備える。【選択図】        図１
2005018242.tif 000002
【特許請求の範囲】
【請求項１】
入退場時間と利用者の駐車スペースを指定する駐車スペース位置の情報とを管理する駐車場情報管理システムと、
入場時に、入場時間と前記駐車スペース位置の情報とをコンピュータ読み取り可能な利用券に記録および印字を行う発券機と、
退場時に、前記利用券から記録された入場時間および駐車スペース位置の情報を読み取り料金精算のための処理を行う精算機と、を備える
ことを特徴とする駐車場総合管理システム。
【請求項２】
前記駐車場情報管理システムは、利用者の入場時に指定した駐車スペース位置を駐車不可とし、退場時に前記精算機が利用券から読み取った駐車スペース位置の情報により定まる駐車スペース位置を駐車可能として、新たな利用者の入場時には駐車可能な駐車スペース位置を割り当てる
ことを特徴とする請求項１に記載の駐車場総合管理システム。
【請求項３】
駐車場内の駐車状況から、当該駐車場に入場可能となるまでの待機時間を推定し該待機時間を表示する待機時間表示装置を、公道に隣接した敷地内またはその他利用者の視認可能な場所に設置するとともに、
動画カメラと該動画カメラにより撮像された映像等を表示する表示装置とを当該駐車場の出入口正面付近に設置するとともに、前記動画カメラにより撮像された利用者やその車両の映像と入場時間、ならびにその退場時間と駐車スペース位置の情報を記録する動画蓄積装置を設置した
ことを特徴とする請求項１または請求項２に記載の駐車場総合管理システム。
【発明の詳細な説明】
【０００１】
【発明の属する技術分野】
本発明は、駐車場総合管理システムに関する。
【０００２】
【従来の技術】
従来の一般的な駐車場管理システムは、磁気を利用した利用券等を使用し、入退場時の時間管理とともに収容台数の限界に達したときに満車表示を行うというものであった。一方、駐車スペースを管理するための発明として、特許文献１に記載の発明がある。この発明は、駐車スペースを撮像する一台若しくは複数台の撮像手段により得られる画像データから、駐車スペースの駐車の有無等の判断をし、複数の駐車スペースを管理するというものである。
【０００３】
【特許文献１】
特開２００３−１５７４５５号公報
【０００４】
【発明が解決しようとする課題】
上記のような従来の駐車場管理システムでは、駐車場利用者に駐車場内の駐車スペースを任意に選択する権利を与えており、空き駐車スペースを探す手間と時間を要するため、駐車場入りロ付近で渋滞するなど非効率的なものであった。また、一般的な駐車場管理システムでは、車上荒し、当て逃げ、車本体の盗難等犯罪の抑止を考慮したものは少なかった。
【０００５】
本発明は、上記の点に鑑みてなされたもので、その目的は、駐車スペースの効率的な利用を可能とし、公道等の渋滞緩和および利用者の待機時間の短縮を図るとともに、駐車場における犯罪抑止機能をも提供することにある。
【０００６】
【課題を解決するための手段】
請求項１に記載の発明は、入退場時間と利用者の駐車スペースを指定する駐車スペース位置の情報とを管理する駐車場情報管理システムと、入場時に、入場時間と前記駐車スペース位置の情報とをコンピュータ読み取り可能な利用券に記録および印字を行う発券機と、退場時に、前記利用券から記録された入場時間および駐車スペース位置の情報を読み取り料金精算のための処理を行う精算機と、を備えることを特徴としている。
【０００７】
また、請求項２に記載の発明は、請求項１に記載の駐車場総合管理システムにおいて、前記駐車場情報管理システムが、利用者の入場時に指定した駐車スペース位置を駐車不可とし、退場時に前記精算機が利用券から読み取った駐車スペース位置の情報により定まる駐車スペース位置を駐車可能として、新たな利用者の入場時には駐車可能な駐車スペース位置を割り当てることを特徴としている。
【０００８】
また、請求項３に記載の発明は、請求項１又は請求項２に記載の駐車場総合管理システムにおいて、駐車場内の駐車状況から、当該駐車場に入場可能となるまでの待機時間を推定し該待機時間を表示する待機時間表示装置を、公道に隣接した敷地内またはその他利用者の視認可能な場所に設置するとともに、動画カメラと該動画カメラにより撮像された映像等を表示する表示装置とを当該駐車場の出入口正面付近に設置するとともに、前記動画カメラにより撮像された利用者やその車両の映像と入場時間、ならびにその退場時間と駐車スペース位置の情報を記録する動画蓄積装置を設置したことを特徴としている。
【０００９】
本発明の駐車場総合管理システムでは、利用者は、入場時に、発券機から入場時間および当該利用者が利用できる駐車スペース位置の情報を記録・印字した利用券を受け取り、この利用券により指定された駐車スペースに駐車する。本発明では、このように駐車場利用者に駐車場内の駐車スペースを任意に選択する権利を与えるのではなく、駐車スペース位置を指定するので、利用者はスムースに駐車できる。このことはまた、待機時間の短縮や公道等の渋滞緩和をも実現する。また、退場時には、精算機が利用券から入場時間と駐車スペース位置の情報を読み取り、読み取った入場時間と、退場時間（精算機を利用した時刻）から、料金精算のための処理を行う。また、駐車場情報管理システムが、精算機が読み取った駐車スペース位置の情報を駐車可能として、駐車スペースの再利用をすることで効率的な駐車場の管理をすることができる。
【００１０】
また、待機時間を推定し（例えば平均駐車場利用時間や無料駐車時間等を基に推定する）、公道等に待機している来場者へ待機時間を報知することで、待機時のイライラ防止等を併せて図ることができる。
また、駐車場の出入口正面付近に設置した動画カメラにより撮像する利用車（例えば、その型式、ナンバー等）や運転者の映像と、入場時間、退場時間を記録し、これらからなる映像を出入口付近に設けた表示装置に表示することにより（退場時間は、退場時に出口側のみ表示するとよい）、駐車場利用者に具体的に記録を取っていることを示すことで、車上荒し、当て逃げ、車本体の盗難等を抑止することができる。
【００１１】
【発明の実施の形態】
以下、本発明の実施の形態を、図面を参照して説明する。
図１は、本発明の一実施の形態である駐車場管理システムを利用する駐車場の概略構成を示し、図２は、駐車場管理システムのシステム構成を示している。
【００１２】
図１、図２において、１は発券機、２は精算機、３は待ち時間を表示する待機時間表示装置、４は駐車場出入口に設置された動画カメラ、５は動画カメラ４で撮った映像と入場時間、退場時間および駐車スペース番号を表示する表示装置、６は駐車料金の算出、入退場時間の管理、空き駐車スペース番号の管理等をする駐車場情報管理システムを示す。７は磁気カード等のコンピュータ読み取り可能な記録部分を持つ駐車場の利用券、８はハードディスクレコーダ等の記録装置、９は映像データと文字データを合成した映像データを生成する合成装置を示す。また１０は入場時間データ、１１は駐車スペース番号データ、１２は退場時間データ、１３は動画カメラ４からの映像データを示すものである。
【００１３】
なお、上記発券機１、精算機２、動画カメラ４、駐車場の利用券７、記録装置８、合成装置９としては、対応する既存の機器等を利用することができる。また、待機時間表示装置３および表示装置５は、ＬＥＤ（Ｌｉｇｈｔ−Ｅｍｉｔｔｉｎｇ  Ｄｉｏｄｅ）パネルやＰＤＰ（Ｐｌａｓｍａ  Ｄｉｓｐｌａｙ  Ｐａｎｅｌ）あるいはＣＲＴ（Ｃａｔｈｏｄｅ  Ｒａｙ  Ｔｕｂｅ）等による表示機器を利用することができる。また、駐車場情報管理システム６は、メモリおよびＣＰＵ（中央処理装置）等により構成されるコンピュータ装置を用いることができ、この場合、駐車料金の算出、入退場時間の管理、空き駐車スペース番号の管理等の機能は、この機能を実現するプログラム（図示せず）をメモリにロードしてＣＰＵが実行することによりその機能が実現されるものとする。
【００１４】
次に、このように構成された本実施形態の駐車場総合管理システムの動作について、図３を参照し説明する。
図３は、利用者の車両の入場から退場までの流れを示している。なお、同図において、図１および図２に示した装置と同一の装置には、同一の符号を附している。
【００１５】
利用者の車両が、駐車場入り口に到達することを感知すると発券機１から駐車場の利用券７が自動的に発行される。この利用券７には、発券機１が発券した発券時刻のデータである入場時間データ１０（図３の例では、２００３年０５月２０日  １２３４  ０５）と駐車スペース番号データ１１（図３の例では、１Ｆ  ０１５番）が印字されるとともに磁気記録部分等に同一の情報が記録される（▲１▼）。
利用者は利用券７に印字された指定の駐車スペースに向かい指定された駐車スペースに駐車する（▲２▼）。
【００１６】
退場時には駐車場出口に設置されている精算機２に利用券７を挿入する（▲３▼）。すると精算機２は、利用券７の磁気等の記録部分から入場時間データ１０、駐車スペース番号データ１１を読み取り、駐車スペース番号データ１１に退場時間データ１２（精算機２に利用券７を押入した時刻のデータ）を付加して、駐車場情報管理システム６にこれらの情報を転送する（▲４▼）。
精算機２から上記情報を受信した駐車場情報管理システム６は、記録している駐車スペース番号データ１１に対応する利用者の車両の入場時間データ１０と、受信した退場時間データ１２から利用時間を算出してこれから料金の計算を行い、精算機２の表示部分に駐車料金を表示させて利用客に料金の請求を行う。利用客は、料金精算後退場する（▲５▼）。
【００１７】
なお、利用券７から読み取られた駐車スペース番号データ１１は、駐車場情報管理システム６の空き駐車スペースの待ち行列に登録され（この空き駐車スペースの待ち行列に登録された駐車スペース番号に対応する駐車スペースは駐車可能として扱われる）、新たに入場する利用者のため再利用される。
また、待機時間表示装置３には、当該駐車場にて駐車可能となるまでの待ち時間が表示されており、このように来場者へ待機時間を報知することで、待機時のイライラ防止等を併せて図ることができる。なお、この待機時間は、平均駐車場利用時間や無料駐車時間等を基に求めることができる。また、この待機時間表示装置３には、待ち時間以外にも、当該駐車場の空き情報（満車／空きの情報や、駐車可能台数等）を表示するとよい。
【００１８】
また、入退場時には、駐車場出入口に設置された動画カメラ４で撮影した利用車（型式、ナンバー等）や運転者の映像データ１３と、入場時間データ１０、退場時間データ１２（これは退場時に記録・表示）および駐車スペース番号データ１１を、映像データと文字データの合成装置９により合成してハードディスクレコーダ等の記録装置８に記録するとともに、合成した画像を動画カメラ４周辺に設置された表示装置５に表示して利用者に対し撮影していることを知らしめ車上荒し、当て逃げ、車本体の盗難等の犯罪の抑止を行う。
以上、この発明の実施形態を、図面を参照して詳述してきたが、具体的な構成はこの実施形態に限られるものではなく、この発明の要旨を逸脱しない範囲の構成等も含まれる。
【００１９】
【発明の効果】
以上、詳細に説明したように、本発明によれば、駐車場来場者に駐車スペースの選択権を与えずに駐車スペースの効率的な利用を図るため、待機時間の短縮や公道等の渋滞緩和を実現でき、さらに動画カメラ及び表示装置の設営により車上荒し、当て逃げ、車本体の盗難等の犯罪抑止の効果を得ることができる。
【図面の簡単な説明】
【図１】本発明の一実施の形態である駐車場管理システムを利用する駐車場の概略構成を示す図である。
【図２】同実施の形態の駐車場管理システムのシステム構成を示す図である。
【図３】同実施の形態における利用者の車両の入場から退場までの流れを示す図である。
【符号の説明】
１…発券機
２…精算機
３…待機時間表示装置
４…動画カメラ
５…表示装置
６…駐車場情報管理システム
７…利用券
８…記録装置（動画蓄積装置）
９…映像データと文字データの合成装置
１０…入場時間データ
１１…駐車スペース番号データ（駐車スペース位置の情報）
１２…退場時間データ
１３…映像データ
【図１】
2005018242.tif 000003
【図２】
2005018242.tif 000004
【図３】
2005018242.tif 000005